(57)【要約】テレビ信号受像機のような装置１００は、特に、限定されるものではないが、地上波及びケーブル信号源のようなマルチプルシグナルソースからのアナログ及びデジタル信号の受信及び処理を可能にする有効かつ費用対効率の高い信号処理アーキテクチャを利用する。例示的な実施の形態によれば、装置１００は、第一のＲＦ信号に対応する第一のＩＦ信号を発生するために作用する第一のチューナ１０を含む。第二のチューナ２０は、第二のＲＦ信号に対応する第二のＩＦ信号を発生するために作用する。第二の復調器６０は、第二のＩＦ信号に対応する第二の復調された信号を発生するために作用する。第三の復調器９０は、第一及び第二のＩＦ信号のうちの１つ対応する第三の復調された信号を発生するために作用する。
2007532014.tif 000002
【特許請求の範囲】
【請求項１】
第一の無線周波（ＲＦ）信号に対応する第一の中間周波（ＩＦ）信号を発生するための第一の同調手段と、
前記第一のＩＦ信号に対応する第一の復調信号を発生するための第一の復調信号と、
第二のＲＦ信号に対応する第二のＩＦ信号を発生するための第二の同調手段と、
前記第二のＩＦ信号に対応する第二の復調された信号を発生するための第二の復調手段と、
前記第一及び第二のＩＦ信号のうちの１つに対応する第三の復調された信号を発生するための第三の復調手段と、
を有することを特徴とする信号処理装置。
【請求項２】
前記第一のＲＦ信号は地上波信号源を介して供給される、
請求項１記載の信号処理装置。
【請求項３】
前記第二のＲＦ信号はケーブル信号源を介して供給される、
請求項１記載の信号処理装置。
【請求項４】
前記第一の復調手段は第一のアナログ復調器を含み、
前記第二の復調手段は第二のアナログ復調器を含み、
前記第三の復調手段はデジタル復調器を含む、
請求項１記載の信号処理装置。
【請求項５】
前記第一のアナログ復調器は、前記第一のＩＦ信号に応じて第一の自動利得制御（ＡＧＣ）信号を発生し、
前記第二のアナログ復調器は、前記第二のＩＦ信号に応じて第二のＡＧＣ信号を発生し、
前記デジタル復調器は、前記第一及び第二のＩＦ信号のうちの１つに応じて第三のＡＧＣ信号を発生する、
請求項４記載の信号処理装置。
【請求項６】
前記第一の同調手段に前記第一及び第三のＡＧＣ信号のうちの１つを選択的に供給するための第一のＲＦ  ＡＧＣスイッチング手段と、
前記第二の同調手段に前記第二及び第三のＡＧＣ信号のうちの１つを選択的に供給するための第二のＲＦ  ＡＧＣスイッチング手段と、
を更に有する請求項５記載の信号処理装置。
【請求項７】
前記第三の復調手段に前記第一及び第二のＩＦ信号のうちの１つを選択的に供給するためのＩＦスイッチング手段を更に有する、
請求項１記載の信号処理装置。
【請求項８】
第一の信号源から第一の無線周波（ＲＦ）信号を受けるステップと、
第一のチャネル選択に応じて前記第一のＲＦ信号に対応する第一の中間周波（ＩＦ）信号を発生するステップと、
前記第一のチャネル選択がアナログチャネルの選択である場合に前記第一のＩＦ信号に対応する第一の復調された信号を発生するステップと、
第二の信号源から第二のＲＦ信号を受信するステップと、
第二のチャネル選択に応じて前記第二のＲＦ信号に対応する第二のＩＦ信号を発生するステップと、
前記第二のチャネル選択がアナログチャネル選択である場合に前記第二のＩＦ信号に対応する第二の復調された信号を発生するステップと、
前記第一及び第二のチャネル選択がデジタルチャネルである場合に前記第一及び第二のＩＦ信号のうちの１つに対応する第三の復調された信号を発生するステップと、
を含むことを特徴とする信号処理を実行するための方法。
【請求項９】
前記第一の信号源は地上波の信号源である、
請求項８記載の方法。
【請求項１０】
前記第二の信号源は地上波の信号源である、
請求項８記載の方法。
【請求項１１】
前記第一のチャネル選択がアナログチャネルの選択である場合に前記第一のＩＦ信号に応じて第一のＡＧＣ信号を発生するステップと、
前記第二のチャネル選択がアナログチャネルの選択である場合に前記第二のＩＦ信号に応じて第二のＡＧＣ信号を発生するステップと、
前記第一及び第二のチャネル選択のうちの１つがデジタルチャネル選択である場合に前記第一及び第二のＩＦ信号のうちの１つに応じて第三のＡＧＣ信号を発生するステップと、
を更に含むことを特徴とする請求項８記載の方法。
【請求項１２】
第一のＲＦ信号に対応する第一のＩＦ信号を発生するために作用する第一のチューナと、
前記第一のＩＦ信号に対応する第一の復調された信号を発生するために作用する第一の復調器と、
第二のＲＦ信号に対応する第二のＩＦ信号を発生するために作用する第二のチューナと、
前記第二のＩＦ信号に対応する第二の復調された信号を発生するために作用する第二の復調器と、
前記第一及び第二のＩＦ信号のうちの１つに対応する第三の復調された信号を発生するために作用する第三の復調器と、
を有するために作用するテレビ信号受像機。
【請求項１３】
前記第一のＲＦ信号は地上波の信号源を介して供給される、
請求項１２記載のテレビジョン信号受像機。
【請求項１４】
前記第二のＲＦ信号はケーブル信号源を介して供給される、
請求項１２記載のテレビ信号受像機。
【請求項１５】
前記第一の復調器は第一のアナログ復調器を含み、
前記第二の復調器は第二のアナログ復調器を含み、
前記第三の復調器はデジタル復調器を含む、
請求項１２記載のテレビ信号受像機。
【請求項１６】
前記第一のアナログ復調器は、前記第一のＩＦ信号に応じて第一のＡＧＣ信号を発生し、
前記第二のアナログ復調器は、前記第二のＩＦ信号に応じて第二のＡＧＣ信号を発生し、
前記デジタル復調器は、前記第一及び第二のＩＦ信号のうちの１つに応じて第三のＡＧＣ信号を発生する、
請求項１５記載のテレビ信号受像機。
【請求項１７】
前記第一のチューナに前記第一及び第三のＡＧＣ信号のうちの１つを選択的に供給するために作用する第一のＲＦ  ＡＧＣスイッチと、
前記第二のチューナに前記第二及び第三のＡＧＣ信号のうちの１つを選択的に供給するために作用する第二のＲＦ  ＡＧＣスイッチと、
を更に有する請求項１６記載のテレビジョン信号受信機。
【請求項１８】
前記第三の復調器に前記第一及び第二のＩＦ信号のうちの１つを選択的に供給するための作用するＩＦスイッチを更に有する、
請求項１２記載のテレビ信号受像機。
【発明の詳細な説明】
【技術分野】
【０００１】
本発明は、テレビ信号受像機のような装置向けの信号処理アーキテクチャ全般に関し、より詳細には、特に、限定されるものではないが、地上波及びケーブル信号源のようなマルチプルシグナルソースからのアナログ及びデジタル信号の両者の受信及び処理を可能にする有効かつ費用対効率の高い信号処理アーキテクチャに関する。
【背景技術】
【０００２】
テレビ信号受像機のような装置は、アナログ信号及びデジタル信号の両方を受信及び処理可能な場合がある。アナログ及びデジタル信号処理の両者を収容するため、かかる装置は、アナログ信号用の一方のチューナ及び復調器と、デジタル信号用の別のチューナ及び復調器とを使用する。さらに、マルチプルシグナルソース（たとえば、地上波、ケーブル、衛星、インターネット等）からの信号を収容するため、それぞれの信号源用に専用のチューナ及び復調器が必要とされる。専用のチューナ及び復調器がそれぞれの信号タイプ（すなわちアナログ及びデジタル）及びそれぞれの信号源について使用されるこのタイプのアーキテクチャは、生産コスト、パーツカウント、電力消費量、及び装置全体の回路の動作の信頼性の観点で一般的に望まれない。
【発明の開示】
【発明が解決しようとする課題】
【０００３】
これに応じて、マルチプルシグナルソースからのアナログ及びデジタル信号の両者を受信及び処理可能なテレビ信号受像機のような装置向けの、より有効かつ費用対効率の高い信号処理アーキテクチャについて必要が存在する。本発明は、これらの問題及び／又は他の問題に対処する。
【課題を解決するための手段】
【０００４】
本発明の態様によれば、信号処理装置が開示される。例示的な実施の形態によれば、信号処理装置は、第一の無線周波（ＲＦ）信号に対応する第一の中間周波（ＩＦ）信号を発生するための第一のチューニング手段を有している。第一の復調手段は、第一のＩＦ信号に対応する第一の復調信号を発生する。第二の同調手段は、第二のＲＦ信号に対応する第二のＩＦ信号を発生する。第二の復調手段は、第二のＩＦ信号に対応する第二の復調信号を発生する。第三の復調手段は、第一及び第二のＩＦ信号のうちの一方に対応する第三の復調信号を発生する。
【０００５】
本発明の別の態様によれば、信号処理を実行するための方法が開示される。例示的な実施の形態によれば、本方法は、第一の信号源から第一のＲＦ信号を受信するステップ、第一のチャネル選局に応じて第一のＲＦ信号に対応する第一のＩＦ信号を発生するステップ、第一のチャネル選局がアナログチャネルの選局である場合に第一のＩＦ信号に対応する第一の復調信号を発生するステップ、第二の信号源からの第二のＲＦ信号を受信するステップ、第二のチャネル選局に応じて第二のＲＦ信号に対応する第二のＩＦ信号を発生するステップ、第二のチャネル選局がアナログチャネル選局である場合に第二のＩＦ信号に対応する第２の復調信号を発生するステップ、第一及び第二のチャネル選局のうちの一方がデジタルチャネル選局である場合に第一及び第二のＩＦ信号のうちの１つに対応する第三の復調信号を発生するステップを含んでいる。
【０００６】
本発明の別の態様によれば、テレビ信号受像機が開示される。例示的な実施の形態によれば、テレビ信号受像機は、第一のＲＦ信号に対応する第一のＩＦ信号を発生するために作用する。第一の復調器は、第一のＩＦ信号に対応する第一の復調信号を発生するために作用する。第二のチューナは、第二のＲＦ信号に対応する第二のＩＦ信号を発生するために作用する。第二の復調器は、第二のＩＦ信号に対応する第二の復調信号を発生するために作用する。第三の復調器は、第一及び第二のＩＦ信号のうちの１つに対応する第三の復調信号を発生するために作用する。
【０００７】
本発明の上述された特徴及び利点、並びに他の特徴及び利点、これらに付属する問題は、より明らかとなり、本発明は、添付図面と共に行われる本発明の以下の記載を参照することで良好に理解されるであろう。
【０００８】
本明細書で述べられた例示は、本発明の好適な実施の形態を例示するものであって、かかる例示は、如何なる方式で本発明の範囲を制限するとして解釈されるべきではない。
【発明を実施するための最良の形態】
【０００９】
ここで図面、特に図１を参照して、本発明に係る例示的な実施の形態に係る信号処理装置１００が示されている。たとえば、信号処理装置１００は、テレビ信号受像機及び／又は他の装置のような受信装置のフロントエンド処理回路を表している場合がある。図１に示されるように、信号処理装置１００は、チューナ１０のような第一のチューニング手段、チューナ２０のような第二のチューニング手段、ＲＦ  ＡＧＣ３０のような第一の無線周波（ＲＦ）自動利得制御（ＡＧＣ）スイッチング手段、ＲＦ  ＡＧＣスイッチ４０のような第二のＲＦ  ＡＧＣスイッチング手段、アナログ復調器５０のような第一の復調手段、アナログ復調器６０のような第二の復調手段、ＩＦ入力スイッチ７０のような中間周波（ＩＦ）スイッチング手段、デジタルＩＦインタフェース８０のようなＩＦインタフェース、デジタル復調器９０のような第三の復調手段、及びプロセッサ９５のような処理手段を表す場合がある。図１のエレメントは、集積回路（ＩＣ）を使用して実施される場合があり、たとえば、エレメントのなかには、１以上のＩＣに含まれる場合ある。記載の明確さのために、所定の制御信号、電力信号のような信号処理装置、及び／又は他のエレメントに関連される所定のエレメントは、図１に示されていない場合がある。
【００１０】
チューナ１０は、地上波（すなわち空気）又は他の信号源のような、第一の信号源から供給される信号について信号同調機能を実行するために作用する。例示的な実施の形態によれば、チューナ１０は、第一の信号源からの第一のＲＦ入力信号を受け、第一のＲＦ入力信号をフィルタリング及び周波数のダウンコンバート（すなわち１段又は多段のダウンコンバート）による信号同調機能を実行し、第一のＩＦ信号を発生する。第一のＲＦ入力信号及び第一のＩＦ信号は、オーディオ、ビデオ及び／又はデータコンテンツを含み、アナログ変調スキーム（たとえば、ＮＴＳＣ、ＰＡＬ、ＳＥＣＡＭ等）、又はデジタル変調スキーム（たとえば、ＡＴＳＣ、ＱＡＭ等）からなる場合がある。
【００１１】
チューナ２０は、ケーブル又は他の信号源のような第二の信号源から供給されるブロードキャスト信号用の信号同調機能を実行するために作用する。例示的な実施の形態によれば、チューナ２０は、第二の信号源から第二のＲＦ入力信号を受け、第二のＲＦ入力信号をフィルタリング及び周波数のダウンコンバート（すなわち１段又は多段のダウンコンバート）により信号同調機能を実行し、第二のＩＦ信号を発生する。第二の入力ＲＦ信号及び第二のＩＦ信号は、オーディオ、ビデオ及び／又はデータコンテンツを含む場合もあり、アナログ変調スキーム（たとえばＮＴＳＣ、ＰＡＬ、ＳＥＣＡＭ等）又はデジタル変調スキーム（たとえばＡＴＳＣ、ＱＡＭ等）である場合がある。
【００１２】
ＲＦ  ＡＧＣスイッチ３０は、チューナ１０用のスイッチング機能を実行するために作用する。例示的な実施の形態によれば、ＲＦ  ＡＧＣスイッチ３０は、デジタル復調器９０又は他のソースから供給されたＲＦ  ＡＧＣスイッチ制御信号に応じて、アナログ復調器３０からのＲＦ  ＡＧＣ信号、又はデジタル復調器９０からのＲＦ  ＡＧＣ信号のいずれかをチューナ１０に供給するために作用する。
【００１３】
ＲＦ  ＡＧＣスイッチ４０は、チューナ２０用のＡＧＣスイッチング機能を実行するために作用する。例示的な実施の形態によれば、ＲＦ  ＡＧＣスイッチ４０は、デジタル復調器９０又は他のソースから供給されたＲＦ  ＡＧＣスイッチ制御信号に応じて、アナログ復調器６０からのＲＦ  ＡＧＣ信号、又はデジタル復調器９０からのＲＦ  ＡＧＣ信号のいずれかをチューナ２０に提供するために作用する。
【００１４】
アナログ復調器５０は、アナログ復調及びアナログＲＦ  ＡＧＣ機能を含む機能を実行するために作用する。例示的な実施の形態によれば、アナログ復調器５０は、チューナ１０から供給された第一のＩＦ信号を復調し、これにより第一の復調されたアナログ信号を発生するために作用する。アナログ復調器５０は、１以上のタイプのアナログ変調信号（たとえばＮＴＳＣ、ＰＡＬ、ＳＥＣＡＭ等）を復調するために作用する。図１に示されるように、アナログ復調器５０から出力された第一の復調されたアナログ信号は、更なる処理（たとえば復号化等）のために供給される場合がある。また、例示的な実施の形態によれば、アナログ復調器５０は、第一のＩＦ信号に応じて第一のアナログＲＦ  ＡＧＣ信号をＲＦ  ＡＧＣスイッチ３０に供給する。第一のアナログＡＧＣ信号は、チューナ１０により必要とされる特定のＲＦ  ＡＧＣの遅延ポイント及びＡＧＣ電圧を容易にする。アナログ復調器５０は、たとえば、同期位相ロックループ（ＰＬＬ）タイプの復調器として実施される場合がある。
【００１５】
アナログ復調器６０は、アナログ復調及びアナログＲＦ  ＡＧＣ機能を含む機能を実行するために作用する。例示的な実施の形態によれば、アナログ復調器６０は、チューナ２０から供給された第二のＩＦ信号を復調し、第二の復調されたアナログ信号を発生するために作用する。アナログ復調器６０は、１以上のタイプのアナログ復調信号（たとえば、ＮＴＳＣ、ＰＡＬ、ＳＥＣＡＭ等）を復調するために作用する。図１に示されるように、アナログ復調器６０から出力された第二の復調されたアナログ信号は、更なる処理のために供給される場合がある（たとえば復号化等）。また、例示的な実施の形態によれば、アナログ復調器６０は、第二のＩＦ信号に応じてＲＦ  ＡＧＣスイッチ４０に第二のアナログＲＦ  ＡＧＣ信号を供給する。第二のアナログＡＧＣ信号は、チューナ２０により必要とされる特定のＲＦ  ＡＧＣ遅延ポイント及びＡＧＣ電圧を要求する。アナログ復調器６０は、たとえば、同期位相ロックループ（ＰＬＬ）タイプの復調器として実施される場合がある。
【００１６】
入力スイッチ７０は、ＩＦスイッチング機能を実行するために作用する。例示的な実施の形態によれば、ＩＦスイッチ７０は、デジタル復調器９０から供給されるＩＦスイッチ制御信号に応じて、チューナ１０から供給される第一のＩＦ信号、又はチューナ２０から供給される第二のＩＦ信号のいずれかを選択的に通過させる。
【００１７】
デジタルＩＦインタフェース８０は、フィルタリング及び信号増幅機能を含む機能を実行するために作用する。例示的な実施の形態によれば、デジタルＩＦインタフェース８０は、ＩＦ入力スイッチ７０から供給される第一のＩＦ信号又は第二のＩＦ信号をフィルタリング及び増幅する１以上の表面音響波（ＳＡＷ）フィルタ及び信号増幅器を含む。
【００１８】
デジタル復調器９０は、アナログ−デジタル（Ａ／Ｄ）変換、デジタル復調、デジタルＡＧＣ、及びスイッチ制御機能を含む機能を実行するために作用する。例示的な実施の形態によれば、デジタル復調器９０は、デジタルＩＦインタフェース８０からデジタルＩＦ信号に供給されるフィルタリングされたＩＦ信号を変換するために作用する。次いで、デジタル復調器９０は、デジタルＩＦ信号を復調し、チューナ１０から供給された第一のＩＦ信号又はチューナ２０から供給される第二のＩＦ信号のいずれかに対応する復調されたデジタル信号を発生する。デジタル復調器９０は、１以上のタイプのデジタル的に復調された信号（たとえば、ＡＴＳＣ、ＱＡＭ等）を復調するために作用する。図１に示されるように、デジタル復調器９０から出力された復調されたデジタル信号は、更なる処理（たとえば復号化等）のために供給される場合がある。また、例示的な実施の形態によれば、デジタル復調器９０は、プロセッサの制御下で、第一及び第二のデジタルＲＦ  ＡＧＣ信号と、第一及び第二のＲＦ  ＡＧＣスイッチ制御信号をＲＦ  ＡＧＣスイッチ３０及び４０にそれぞれ供給する。第一及び第二のデジタルＡＧＣ信号は、チューナ１０及び２０のそれぞれにより必要とされる特定のＲＦ  ＡＧＣ遅延ポイント及びＡＧＣ電圧を容易にする。また、デジタル復調器９０は、プロセッサ９５の制御下で、ＩＦスイッチ制御信号をＩＦ入力スイッチ７０にも供給する。デジタル復調器９０は、たとえば、Ｂｒｏａｄｃｏｍにより生産されるＢＣＭ３５１０モデルＩＣ、又はＡＴＩにより生産されるＮＸＴ２００３モデルＩＣのようなＩＣを使用して実施される場合がある。
【００１９】
プロセッサ９５は、信号処理装置１００に関連する処理、制御及び記憶機能を含む各種の機能を実行するために作用する。例示的な実施の形態では、プロセッサ９５は、限定されないが、信号源及びチェネル選局入力のようなユーザ入力の検出及び処理、チャネルタイプの検出（たとえば、アナログ対デジタル）、並びに、制御信号の処理及び供給を含む機能を実行し、チャネルチューニング、スイッチング、メモリ及び他の機能をイネーブルにするために作用する。
【００２０】
信号処理装置１００は、本発明に係る各種のやり方で使用することができる。例示的な実施の形態によれば、信号処理装置１００は、ピクチャ・イン・ピクチャ（ＰＩＰ）、ピクチャ・アウトサイド・ピクチャ（ＰＯＰ）、又は複数の表示を同時に提供する類似の機能を提供するために使用することができる。たとえば、チューナ１０又は２０は、第一のピクチャ（たとえばメインピクチャ）のための信号を同調し、他のチューナ１０又は２０は、第二のピクチャ（たとえばサブピクチャ又はＰＩＰ）のための信号を同調することができる。このように、ピクチャのうちの１つは、アナログ復調器５０又は６０により復調されるアナログ変調信号により表され、他のピクチャは、デジタル復調器９０により復調されるデジタル的に変調された信号により表される場合がある。代替的に、両方のピクチャは、アナログ変調器５０及び６０により復調されたアナログ変調信号により表される場合がある。
【００２１】
本発明の良好な理解を容易にするため、ここで例が提供される。図２を参照して、本発明の例示的な実施の形態に係るステップを例示するフローチャート２００が示されている。例示及び説明のため、図２のステップが図１の信号処理装置１００を参照して記載される。図２のステップは、単なる例示であって、如何なる方式で本発明を制限することが意図されていない。
【００２２】
ステップ２０５で、信号処理装置１００用の信号源が選択される。例示的な実施の形態によれば、地上波、ケーブル又は他の信号源のような所望の信号源は、ハンドヘルドリモートコントロール装置、統合されたキーパネル、有線及び／又は無線キーボード、及び／又は他の入力装置のようなユーザ入力装置（図１に図示せず）を介して信号処理装置１００へのユーザ入力に応答してステップ２０５で選択される場合がある。ユーザ入力により、信号処理装置１００は、そのアクティブ入力を特定の信号源に切替える。例示及び説明のため、図２は、地上波の信号源又はケーブル信号源のいずれかをユーザが選択する場合がある想定で記載されている。しかし、衛星、インターネット、又は他の信号源のような他のタイプの信号源が本発明に従って選択される場合もある。また、例示及び説明のため、図２は、図１のチューナ１０が地上波信号を同調するために使用され、チューナ２０がケーブル信号を同調するために使用される想定で記載されている。しかし、この想定は、如何なる方式で本発明を制限することが意図されておらず、チューナ１０及び２０は、他の信号源からのアナログ及び／又はデジタル信号を同調するために使用することができる。
【００２３】
ステップ２０５で地上波信号源が選択された場合、プロセスフローはステップ２１０に進み、ここで地上波チャネルがユーザにより選択される。例示的な実施の形態によれば、ハンドヘルドリモートコントロール装置、統合されたキーパネル、有線及び／無線キーボード、及び／又は他の入力装置のようなユーザ入力装置（図１に図示せず）を介して信号処理装置１００へのユーザチャネル選局入力に応答して、ステップ２１０でチャネル選択が生じる。例示的な実施の形態によれば、ステップ２１０でのユーザチャネル選局により、チューナ１０は選択された地上波チャネルを同調し始める。
【００２４】
ステップ２１５で、デジタルＲＦ  ＡＧＣ信号は地上波チューナに供給され、ＩＦ入力スイッチ７０は、地上波チューナに切替えられる。本実施の形態で先に示されたように、例示及び説明のため、図１のチューナ１０が地上波信号を同調するために使用され、これにより地上波のチューナを表すことを想定している。例示的な実施の形態によれば、デジタル復調器９０は、第一のデジタルＲＦ  ＡＧＣ信号及び第一のＲＦ  ＡＧＣスイッチ制御信号をＲＦ  ＡＧＣスイッチ３０にプロセッサ９５の制御下で供給し、このプロセッサは、ステップ２１５で、ＲＦ  ＡＧＣスイッチ３０にチューナ１０に第一のデジタルＲＦ  ＡＧＣ信号を供給させる。また、例示的な実施の形態によれば、デジタル復調器９０は、ＩＦスイッチ制御信号をＩＦ入力スイッチ７０にプロセッサ９５の制御下で供給し、プロセッサは、ステップ２１５で、ＩＦ入力スイッチ７０にチューナ１０に切り替えさせる。これに応じて、ステップ２１５は、信号処理装置１００がデジタル地上波信号を受信及び検出するのをイネーブルにする。
【００２５】
ステップ２２０で、ステップ２１０で選択された地上波チャネルがデジタルチャネルであるかに関する判定が行われる。例示的な実施の形態によれば、プロセッサ９５は、デジタル復調器９０が有効なデジタルチャネル信号での復調ロックを得ることが可能であるかを示すデジタル復調器９０から供給された制御信号に応じてステップ２２０での判定を行うようにプログラムされている。選択された地上波チャネルがデジタルチャネルであるかを判定する他のやり方は、本発明に従ってステップ２２０で使用される場合もある。
【００２６】
ステップ２２０での判定が否定的である場合、プロセスフローは、ステップ２２５に進み、ここではアナログＲＦ  ＡＧＣが地上波チューナに供給され、ＩＦ入力スイッチ７０がケーブルチューナに切替えられる。本実施の形態で先に示されたように、図２における例示及び説明のため、図１のチューナ１０は地上波信号を同調するために使用され、地上波チューナを表しており、チューナ２０はケーブル信号を同調するために使用され、ケーブルチューナを表す。例示的な実施の形態によれば、アナログ復調器５０は、第一のアナログＲＦ  ＡＧＣ信号をＲＦ  ＡＧＣスイッチ３０に供給し、デジタル復調器９０は、第一のＲＦ  ＡＧＣスイッチ制御信号をＲＦ  ＡＧＣスイッチ３０にプロセッサ９５の制御下で供給し、プロセッサは、ステップ２２５で、ＲＦ  ＡＧＣスイッチ３０に第一のアナログＲＦ  ＡＧＣ信号をチューナ１０に供給させる。また、例示的な実施の形態によれば、デジタル復調器９０は、ＩＦスイッチ制御信号をＩＦ入力スイッチ７０にプロセッサ９５の制御下で供給し、プロセッサは、ステップ２２５で、ＩＦ入力スイッチ７０にチューナ２０に切替えさせる。このように、ＩＦ入力スイッチ７０は、ステップ２２５で、地上波チューナ、すなわちチューナ１０から切替えられ、これによりデジタルインタフェース８０の入力特性に帰属する信号の乱れを有効に防止する。
【００２７】
ステップ２２０での判定が正である場合、プロセスフローはステップ２３０に進み、ここでデジタルＲＦ  ＡＧＣ信号は、地上波チューナに供給され続け、ＩＦ入力スイッチ７０はその位置を維持する。例示的な実施の形態によれば、デジタル復調器９０は、ステップ２３０で、ＲＦ  ＡＧＣスイッチ３０を介してチューナ１０に第一のデジタルＲＦ  ＡＧＣ信号を提供し続ける。
【００２８】
ここでステップ２０５を参照して、ケーブル信号源が選択された場合、プロセスフローはステップ２３５に進み、ここでケーブルチャネルがユーザにより選択される。例示的な実施の形態によれば、ハンドヘルドリモートコントロール装置、統合されたキーパネル、有線及び／又は無線キーボード、及び／又は他の入力装置のようなユーザ入力装置（図１では図示せず）を介して信号処理装置１００へのユーザチャネル選局入力に応答して、ステップ２３５でチャネル選局が生じる。また、例示的な実施の形態によれば、ステップ２３５でのユーザチャネル選局により、チューナ２０は、選択されたケーブルチャネルを同調し始める。
【００２９】
ステップ２４０で、デジタルＲＦ  ＡＧＣ信号はケーブルチューナに供給され、ＩＦ入力スイッチ７０は、ケーブルチューナに切替えられる。本実施の形態で先に示されたように、図２における例示及び説明について、図１のチューナ２０は、ケーブル信号を同調するために使用され、したがってケーブルチューナを表すことが想定される。例示的な実施の形態によれば、デジタル復調器９０は、第二のデジタルＲＦ  ＡＧＣ信号及び第二の第一のＲＦ  ＡＧＣスイッチ制御信号をＲＦ  ＡＧＣスイッチ４０にプロセッサ９５の制御下で供給し、プロセッサは、ステップ２４０で、ＲＦ  ＡＧＣスイッチ４０に第二のデジタルＲＦ  ＡＧＣ信号を供給させる。また、例示的な実施の形態によれば、デジタル復調器９０は、ＩＦスイッチ制御信号をＩＦ入力スイッチ７０にプロセッサ９５の制御下で供給し、プロセッサは、ステップ２４０で、ＩＦ入力スイッチ７０にチューナ２０に切替えさせる。したがって、ステップ２４０は、デジタルケーブルチャネルを受信及び検出するために信号処理装置１００をイネーブルにする。
【００３０】
ステップ２４５で、ステップ２３５で選択されたケーブルチャネルがデジタルチャネルであるかに関する判定が行われる。例示的な実施の形態によれば、プロセッサ９５は、デジタル復調器９０が有効なデジタルチャネル信号での復調ロックを得ることが可能であるかを示すデジタル復調器９０から供給される制御信号に応答してステップ２４５での判定を行うようにプログラムされている。選択された地上波チャネルがデジタルチャネルであるかを判定する他の方法は、本発明に従ってステップ２４５で使用される場合もある。
【００３１】
ステップ２４５での判定が否定的である場合、プロセスフローはステップ２５０に進み、ここでアナログＲＦ  ＡＧＣ信号がケーブルチューナに供給され、ＩＦ入力スイッチ７０は、地上波のチューナに切替えられる。本実施の形態で先に示されたように、図２における例示及び説明について、図１のチューナ１０が地上波信号を同調するために使用され、したがって地上波チューナを表しており、チューナ２０はケーブル信号を同調するために使用され、これによりケーブルチューナを表している。例示的な実施の形態によれば、アナログ復調器６０は、プロセッサ９５の制御下で、第二のアナログＲＦ  ＡＧＣ信号をＲＦ  ＡＧＣスイッチ４０に供給し、デジタル復調器９０は、第二のＲＦ  ＡＧＣスイッチ制御信号をＲＦ  ＡＧＣスイッチ４０に供給し、プロセッサは、ステップ２５０で、ＲＦ  ＡＧＣスイッチ４０に第二のアナログＲＦ  ＡＧＣ信号をチューナ２０に供給させる。また、例示的な実施の形態によれば、デジタル復調器９０は、ＩＦスイッチ制御信号をＩＦ入力スイッチ７０にプロセッサ９５の制御下で供給し、プロセッサは、ステップ２５０で、ＩＦ入力スイッチ７０にチューナ７０へ切替えさせる。このように、ＩＦ入力スイッチ７０は、ステップ２５０で、ケーブルチューナ、すなわちチューナ２０から切換えされ、デジタルＩＦインタフェース８０の入力特性に帰属する信号の乱れを有効に防止する。
【００３２】
ステップ２４５での判定が肯定的である場合、プロセスフローはステップ２５５に進み、ここでデジタルＲＦ  ＡＧＣ信号は、ケーブルチューナに供給され続け、ＩＦ入力スイッチ７０は、その位置を維持する。例示的な実施の形態によれば、デジタル復調器９０は、ステップ２５５で、ＲＦ  ＡＧＣスイッチ２０を介して第二のデジタルＲＦ  ＡＧＣ信号をチューナ２０に供給し続け、チューナ２０に切替えられるＩＦ入力スイッチ７０の位置を維持する。
【００３３】
本実施の形態で記載されるように、本発明は、特に、限定されるものではないが、地上波及びケーブル信号源のようなマルチプルシグナルソースからのアナログ及びデジタル信号の両者の受信及び処理を可能にするテレビ信号受像機のような装置向けの有効かつ必要対効率の高い信号処理アーキテクチャを提供する。本発明は、ディスプレイ装置をもつか、ディスプレイ装置をもたない各種の装置にも適用可能な場合がある。したがって、本明細書で使用されるフレーズ「信号処理装置」及び「テレビジョン信号受像機」は、限定されるものではないが、テレビジョンセット、ディスプレイ装置を含むコンピュータモニタ、及びセットトップボックス、ビデオカセットレコーダ（ＶＣＲ）、デジタルバーサティルディスク（ＤＶＤ）プレーヤ、ビデオゲームボックス、パーソナルビデオレコーダ（ＰＶＲ）、ディスプレイ装置を含まない場合があるコンピュータ又は他の装置のようなシステム又は装置を含むシステム又は装置を示す場合がある。
【００３４】
本発明は好適な設計を有するとして記載されてきたが、本発明はこの開示の精神及び範囲内で更に変更することができる。本出願は、本発明の一般的な原理を使用して如何なる本発明の変形、使用又は適合をカバーすることが意図される。さらに、本出願は、本発明が属する技術分野であって、特許請求の範囲の制限に含まれる技術分野における公知又は慣用であるとして本開示からのかかる逸脱をカバーすることが意図される。
【図面の簡単な説明】
【００３５】
【図１】本発明の例示的な実施の形態に係る信号処理装置に関するブロック図である。
【図２】本発明の例示的な実施の形態に係るステップを例示するフローチャートである。
【図１】
2007532014.tif 000003
【図２】
2007532014.tif 000004
【手続補正書】
【提出日】平成19年7月6日(2007.7.6)
【手続補正１】
【補正対象書類名】特許請求の範囲
【補正対象項目名】全文
【補正方法】変更
【補正の内容】
【特許請求の範囲】
【請求項１】
第一の無線周波（ＲＦ）信号に応答して第一の中間周波（ＩＦ）信号を発生するための第一の同調手段と、
前記第一のＩＦ信号に応答して第一の復調信号を発生するための第一の復調信号と、
第二のＲＦ信号に応答して第二のＩＦ信号を発生するための第二の同調手段と、
前記第二のＩＦ信号に応答して第二の復調された信号を発生するための第二の復調手段と、
前記第一及び第二の同調手段に結合され、前記第一及び第二のＩＦ信号のうちの１つに応答して第三の復調された信号を発生するための第三の復調手段と、
を有することを特徴とする信号処理装置。
【請求項２】
前記第一のＲＦ信号は地上波信号源を介して供給される、
請求項１記載の信号処理装置。
【請求項３】
前記第二のＲＦ信号はケーブル信号源を介して供給される、
請求項１記載の信号処理装置。
【請求項４】
前記第一の復調手段は第一のアナログ復調器を含み、
前記第二の復調手段は第二のアナログ復調器を含み、
前記第三の復調手段はデジタル復調器を含む、
請求項１記載の信号処理装置。
【請求項５】
前記第一のアナログ復調器は、前記第一のＩＦ信号に応じて第一の自動利得制御（ＡＧＣ）信号を発生し、
前記第二のアナログ復調器は、前記第二のＩＦ信号に応じて第二のＡＧＣ信号を発生し、
前記デジタル復調器は、前記第一及び第二のＩＦ信号のうちの１つに応じて第三のＡＧＣ信号を発生する、
請求項４記載の信号処理装置。
【請求項６】
前記第一の同調手段に前記第一及び第三のＡＧＣ信号のうちの１つを選択的に供給するための第一のＲＦ  ＡＧＣスイッチング手段と、
前記第二の同調手段に前記第二及び第三のＡＧＣ信号のうちの１つを選択的に供給するための第二のＲＦ  ＡＧＣスイッチング手段と、
を更に有する請求項５記載の信号処理装置。
【請求項７】
前記第三の復調手段に前記第一及び第二のＩＦ信号のうちの１つを選択的に供給するためのＩＦスイッチング手段を更に有する、
請求項１記載の信号処理装置。
【請求項８】
第一の同調手段を使用して、第一の信号源から第一の無線周波（ＲＦ）信号を受けるステップと、
前記第一の同調手段を使用して、第一のチャネル選択及び前記第一のＲＦ信号に応答して第一の中間周波（ＩＦ）信号を発生するステップと、
第一の復調手段を使用して、前記第一のチャネル選択がアナログチャネルの選択である場合に前記第一のＩＦ信号に応答して第一の復調された信号を発生するステップと、
第二の同調手段を使用して、第二の信号源から第二のＲＦ信号を受信するステップと、
前記第二の同調手段を使用して、第二のチャネル選択及び前記第二のＲＦ信号に応答して第二のＩＦ信号を発生するステップと、
第二の復調手段を使用して、前記第二のチャネル選択がアナログチャネル選択である場合に前記第二のＩＦ信号に応答して第二の復調された信号を発生するステップと、
前記第一及び第二の同調手段の出力に結合される第三の復調手段を使用して、前記第一及び第二のチャネル選択がデジタルチャネルの選択である場合に前記第一及び第二のＩＦ信号のうちの１つに応答して第三の復調された信号を発生するステップと、
を含むことを特徴とする信号処理を実行するための方法。
【請求項９】
前記第一の信号源は地上波の信号源である、
請求項８記載の方法。
【請求項１０】
前記第二の信号源は地上波の信号源である、
請求項８記載の方法。
【請求項１１】
前記第一のチャネル選択がアナログチャネルの選択である場合に前記第一のＩＦ信号に応じて第一のＡＧＣ信号を発生するステップと、
前記第二のチャネル選択がアナログチャネルの選択である場合に前記第二のＩＦ信号に応じて第二のＡＧＣ信号を発生するステップと、
前記第一及び第二のチャネル選択のうちの１つがデジタルチャネル選択である場合に前記第一及び第二のＩＦ信号のうちの１つに応じて第三のＡＧＣ信号を発生するステップと、
を更に含むことを特徴とする請求項８記載の方法。
【請求項１２】
第一のＲＦ信号に応答して第一のＩＦ信号を発生するために作用する第一のチューナと、
前記第一のチューナの出力に結合され、前記第一のＩＦ信号に応答して第一の復調された信号を発生するために作用する第一の復調器と、
第二のＲＦ信号に応答して第二のＩＦ信号を発生するために作用する第二のチューナと、
前記第二のチューナの出力に結合され、前記第二のＩＦ信号に応答して第二の復調された信号を発生するために作用する第二の復調器と、
前記第一及び第二のチューナの出力に結合され、前記第一及び第二のＩＦ信号のうちの１つに応答して第三の復調された信号を発生するために作用する第三の復調器と、
を有するために作用するテレビ信号受像機。
【請求項１３】
前記第一のＲＦ信号は地上波の信号源を介して供給される、
請求項１２記載のテレビジョン信号受像機。
【請求項１４】
前記第二のＲＦ信号はケーブル信号源を介して供給される、
請求項１２記載のテレビ信号受像機。
【請求項１５】
前記第一の復調器は第一のアナログ復調器を含み、
前記第二の復調器は第二のアナログ復調器を含み、
前記第三の復調器はデジタル復調器を含む、
請求項１２記載のテレビ信号受像機。
【請求項１６】
前記第一のアナログ復調器は、前記第一のＩＦ信号に応じて第一のＡＧＣ信号を発生し、
前記第二のアナログ復調器は、前記第二のＩＦ信号に応じて第二のＡＧＣ信号を発生し、
前記デジタル復調器は、前記第一及び第二のＩＦ信号のうちの１つに応じて第三のＡＧＣ信号を発生する、
請求項１５記載のテレビ信号受像機。
【請求項１７】
前記第一のチューナに前記第一及び第三のＡＧＣ信号のうちの１つを選択的に供給するために作用する第一のＲＦ  ＡＧＣスイッチと、
前記第二のチューナに前記第二及び第三のＡＧＣ信号のうちの１つを選択的に供給するために作用する第二のＲＦ  ＡＧＣスイッチと、
を更に有する請求項１６記載のテレビジョン信号受信機。
【請求項１８】
前記第三の復調器に前記第一及び第二のＩＦ信号のうちの１つを選択的に供給するための作用するＩＦスイッチを更に有する、
請求項１２記載のテレビ信号受像機。
【国際調査報告】
2007532014.tif 000005
2007532014.tif 000006
2007532014.tif 000007